(57)【要約】【課題】外部装置と無線通信を行っている場合において、使用が想定されない時期における電力消費を低減し得るガスコンロを提供する。【解決手段】ガスコンロ１は、電源オン状態と電源オフ状態とに切り替え、ガスバーナ５１，５２，５３，５４によって加熱が行われていない状態で不使用条件が成立した場合に、ガスコンロ１を電源オン状態から電源オフ状態に切り替える制御回路１０を備えている。制御回路１０は、通信部９２が携帯端末１００と無線通信を行っている場合において、不使用条件が成立した場合にはガスコンロ１を電源オン状態から電源オフ状態に切り替える。【選択図】図３
2020190357.tif 000002
【特許請求の範囲】
【請求項１】
被加熱物を加熱する加熱部と、
外部装置と無線通信を行う無線通信部と、
を備えるガスコンロであって、
前記ガスコンロを電源オン状態と電源オフ状態とに切り替える電源制御部を備え、
前記電源制御部は、前記無線通信部が前記外部装置と無線通信を行っている状態で、予め定められた使用判定条件が全て成立しなくなった場合に、前記ガスコンロを前記電源オン状態から前記電源オフ状態に切り替える
ガスコンロ。
【請求項２】
前記使用判定条件は、前記ガスコンロに対して所定の指示がなされてから一定時間が経過するまでの期間内であるという条件を含む
請求項１に記載のガスコンロ。
【請求項３】
前記使用判定条件は、前記ガスコンロに対して無線通信によって特定コマンドが送信されてから一定時間が経過するまでの期間内であるという条件を含む
請求項１又は請求項２に記載のガスコンロ。
【請求項４】
前記使用判定条件は、自動調理モードでの調理期間の終了から一定時間が経過するまでの期間内であるという条件を含む
請求項１から請求項３のいずれか一項に記載のガスコンロ。
【請求項５】
前記ガスコンロは、電池からの電力に基づいて内部の電気部品が動作する電池式ガスコンロである
請求項１から請求項４のいずれか一項に記載のガスコンロ。
【発明の詳細な説明】
【技術分野】
【０００１】
本開示は、ガスコンロに関するものである。
【背景技術】
【０００２】
特許文献１のガスコンロは、バーナと、コンロ制御回路と、無線通信部と、を備えている。コンロ制御回路は、バーナが使用される可能性が低いと判定された場合に、ガスコンロの電源を自動でオフにする機能を有する。ガスコンロは、携帯端末との間で、無線通信部を介してガスコンロの動作状態や携帯端末で選択設定されたレシピデータ等の自動調理の動作条件を無線で送受信する。コンロ制御回路は、携帯端末との間で通信が行われている場合は、バーナが使用される可能性が低いか否かにかかわらず、ガスコンロの電源を自動でオフにしない。
【先行技術文献】
【特許文献】
【０００３】
【特許文献１】特開２０１８−４０５１５号公報
【発明の概要】
【発明が解決しようとする課題】
【０００４】
しかしながら、特許文献１のガスコンロは、携帯端末との間で通信が行われている状態では、バーナが使用されていない場合にも、ガスコンロの電源がオン状態のままとなる。そのため、ガスコンロは、携帯端末との間で通信が行われている間は、電力が消費し続けることになってしまう。これにより、ガスコンロの消費電力が増大する問題が生じる。
【０００５】
本開示では、上述した課題の少なくとも一つを解決するために、外部装置と無線通信を行い得るガスコンロにおいて電力消費を効果的に低減し得る技術を提供する。
【課題を解決するための手段】
【０００６】
本開示の一つであるガスコンロは、
被加熱物を加熱する加熱部と、
外部装置と無線通信を行う無線通信部と、
を備えるガスコンロであって、
前記ガスコンロを電源オン状態と電源オフ状態とに切り替える電源制御部を備え、
前記電源制御部は、前記無線通信部が前記外部装置と無線通信を行っている状態で、予め定められた使用判定条件が全て成立しなくなった場合に、前記ガスコンロを前記電源オン状態から前記電源オフ状態に切り替える。
【発明の効果】
【０００７】
上記のガスコンロでは、無線通信部が外部装置と無線通信を行っている状態で、予め定められた使用判定条件が全て成立しなくなった場合に、ガスコンロを電源オン状態から電源オフ状態に切り替えることができる。このようにすれば、予め定められた使用判定条件が全て成立しなくなった場合に、無線通信の継続を優先して電源オン状態が維持されてしまうような事態を防ぐことができる。よって、予め定められた使用判定条件が全て成立しなくなった後には、電力消費を確実に抑えることができる。
【０００８】
上記のガスコンロにおいて、使用判定条件は、ガスコンロに対して所定の指示がなされてから一定時間が経過するまでの期間内であるという条件を含んでいてもよい。
ガスコンロに対して所定の指示がなされてから一定時間が経過した場合、ガスコンロが使用されていない可能性が高まる。上記のガスコンロでは、このような場合に、他の使用判定条件も不成立であればガスコンロを自動的に電源オフ状態に切り替えることができ、電力の消費を効果的に低減することができる。一方、ガスコンロに対して所定の指示がなされてから一定時間が経過するまでは、使用判定条件が成立するため、電源オフ状態に切り替えないようにすることができる。
【０００９】
上記のガスコンロにおいて、使用判定条件は、ガスコンロに対して無線通信によって特定コマンドが送信されてから一定時間が経過するまでの期間内であるという条件を含んでいてもよい。
このガスコンロでは、特定コマンドが送信されてから一定時間が経過するまでは電源オフ状態に切り替えないようにすることができるため、特定コマンドの送信直後にガスコンロの電源を維持すべき場合に有利になる。一方、特定コマンドの送信から一定時間が経過した場合、ガスコンロが使用されていない可能性が高まる。上記のガスコンロでは、このような場合に、他の使用判定条件も不成立であればガスコンロを自動的に電源オフ状態に切り替えることができ、電力の消費を効果的に低減することができる。
【００１０】
上記のガスコンロにおいて、使用判定条件は、自動調理モードでの調理期間の終了から一定時間が経過するまでの期間内であるという条件を含んでいてもよい。
自動調理モードでの調理期間の終了から一定時間が経過するまでは電源オフ状態に切り替えないようにすることができるため、自動調理モードでの調理期間の終了直後にガスコンロの電源を維持すべき場合に有利になる。一方、自動調理モードでの調理期間の終了から一定時間が経過した場合、ガスコンロが使用されていない可能性が高まる。上記のガスコンロでは、このような場合に、他の使用判定条件も不成立であればガスコンロを自動的に電源オフ状態に切り替えることができ、電力の消費を効果的に低減することができる。
【００１１】
上記のガスコンロは、電池からの電力に基づいて内部の電気部品が動作する電池式ガスコンロであってもよい。
電池式ガスコンロを無線通信可能に構成した場合、無線通信に起因する電力消費によって電池の交換時期が早まってしまうことが懸念されるが、上記の特徴を採用すれば、ユーザがガスコンロを使用しない時期に電池の電力消費を確実に低減することができ、電池の交換時期が早まることを防ぐことができる。
【図面の簡単な説明】
【００１２】
【図１】第１実施形態のガスコンロを概略的に例示する斜視図である。
【図２】第１実施形態のガスコンロの各ガスバーナへのガス供給路等を概念的に示す説明図である。
【図３】第１実施形態のガスコンロの電気的構成を概略的に例示するブロック図である。
【発明を実施するための形態】
【００１３】
以下、本発明の望ましい例を示す。但し、本発明は、以下の例に限定されない。
【００１４】
＜第１実施形態＞
以下、第１実施形態について、図面を参照して説明する。
図１に示すガスコンロ１は、調理鍋等の調理器具を加熱可能なビルトインコンロとして構成されている。ガスコンロ１は、コンロ本体１Ａの上面を構成する天板２（トッププレート）から露出するように、右こんろ部４Ａ、左こんろ部４Ｂ、がそれぞれ設けられ、その左右のこんろ部４Ａ，４Ｂの間で後方寄りに小こんろ部４Ｃが設けられている。天板２の下方においてコンロ本体１Ａの内部中央付近には、開閉可能なグリル扉３Ｂを有するグリル庫３が設けられている。図１のように、右こんろ部４Ａ、左こんろ部４Ｂ、小こんろ部４Ｃ、グリル庫３には、図２で示すガスバーナ５１，５２，５３，５４がそれぞれ設けられている。ガスバーナ５１，５２，５３，５４は、加熱部の一例に相当し、調理対象物（被加熱物）を加熱する。
【００１５】
図２のように、複数のガスバーナ５１，５２，５３，５４には、複数の分岐供給路６１，６２，６３，６４がそれぞれ接続され、これら分岐供給路６１，６２，６３，６４は、共通供給路６０から分岐する構成をなす。共通供給路６０は、ガスバーナ５１，５２，５３，５４への共通のガス経路であり、複数の分岐供給路６１，６２，６３，６４は、共通供給路６０から分岐するとともに各ガスバーナ５１，５２，５３，５４に向けてガスを導くように配設された供給路である。共通供給路６０には、共通供給路６０を開閉する元電磁弁Ｎ１が設けられる。共通供給路６０から分岐してガスバーナ５１に続く分岐供給路６１には、分岐供給路６１を開閉可能な電磁弁（安全弁）５１Ｇと、分岐供給路６１を開閉可能な閉止弁５１Ｆと、ガスバーナ５１へのガス供給量を調整可能な火力調整弁５１Ｅとが設けられている。共通供給路６０から分岐してガスバーナ５２に続く分岐供給路６２には、分岐供給路６２を開閉可能な電磁弁（安全弁）５２Ｇと、分岐供給路６２を開閉可能な閉止弁５２Ｆと、ガスバーナ５２へのガス供給量を調整可能な火力調整弁５２Ｅとが設けられている。共通供給路６０から分岐してガスバーナ５３に続く分岐供給路６３には、分岐供給路６３を開閉可能な電磁弁（安全弁）５３Ｇと、分岐供給路６３を開閉可能な閉止弁５３Ｆと、ガスバーナ５３へのガス供給量を調整可能な火力調整弁５３Ｅとが設けられている。
【００１６】
グリル庫３のガスバーナ５４（グリルバーナ）は、グリル庫３内に収容された調理対象物を加熱するガスバーナであり、グリル庫３内において上側に配置される上バーナ５４Ａと、グリル庫３内において上バーナ５４Ａよりも下側に配置される下バーナ５４Ｂとを備える。共通供給路６０から分岐してガスバーナ５４にガスを導く分岐供給路６４には、更に、分岐供給路６４から分岐して上バーナ５４Ａにガスを導く第１供給路６５Ａと、分岐供給路６４から分岐して下バーナ５４Ｂにガスを導く第２供給路６５Ｂとが接続されている。分岐供給路６４には、分岐供給路６４を開閉可能な電磁弁（安全弁）５４Ｇと閉止弁５４Ｆとが設けられ、第１供給路６５Ａには複数の電磁弁５４Ｈ，５４Ｊが設けられ、第２供給路６５Ｂには電磁弁５４Ｋが設けられている。更に、第１供給路６５Ａに設けられた電磁弁５４Ｊを迂回するようにバイパス路６６Ａが設けられ、第２供給路６５Ｂに設けられた電磁弁５４Ｋを迂回するように、電磁弁５４Ｋの経路と並列の経路であるバイパス路６６Ｂが設けられている。
【００１７】
図１に示すように、右こんろ部４Ａ、左こんろ部４Ｂ、小こんろ部４Ｃ、グリル庫３にそれぞれ対応するように４つの回転操作部６Ａ，６Ｂ，６Ｃ，６Ｄが設けられている。図１の例では、回転操作部６Ａ，６Ｂ，６Ｃ，６Ｄのいずれも、使用者が押す毎に退避位置と突出位置とに切り替わるようになっている。図３の電気的構成で示すように、回転操作部６Ａ，６Ｂ，６Ｃ，６Ｄにそれぞれ対応するようにスイッチ３０Ａ，３０Ｂ，３０Ｃ，３０Ｄがそれぞれ設けられ、スイッチ３０Ａ，３０Ｂ，３０Ｃ，３０Ｄにそれぞれ対応するように点火信号入力回路４０Ａ，４０Ｂ，４０Ｃ，４０Ｄがそれぞれ設けられている。更に、回転操作部６Ａ，６Ｂ，６Ｃ，６Ｄにそれぞれ対応するように変位検出部３２Ａ，３２Ｂ，３２Ｃ，３２Ｄがそれぞれ設けられ、変位検出部３２Ａ，３２Ｂ，３２Ｃ，３２Ｄにそれぞれ対応するように火力信号入力回路４２Ａ，４２Ｂ，４２Ｃ，４２Ｄがそれぞれ設けられている。回転操作部６Ａ，６Ｂ，６Ｃ，６Ｄのいずれにおいても、回転操作部の変位（回転位置）を対応する変位検出部が検出し、この変位検出部に対応する火力信号入力回路から変位検出部が検出した変位（回転位置）に応じた信号が制御回路１０に与えられる。
【００１８】
図２、図３のように、各バーナ５１，５２，５３，５４Ａ，５４Ｂのそれぞれに隣接して熱電対５１Ｃ，５２Ｃ，５３Ｃ，５４Ｃ、５４Ｄがそれぞれ設けられ、熱電対５１Ｃ，５２Ｃ，５３Ｃ，５４Ｃ、５４Ｄのそれぞれに対応して温度信号入力回路４４Ａ，４４Ｂ，４４Ｃ，４４Ｄ，４４Ｅがそれぞれ設けられている。温度信号入力回路４４Ａ，４４Ｂ，４４Ｃ，４４Ｄ，４４Ｅはいずれも、対応する熱電対で生じた起電力に応じた信号を制御回路１０に入力する。各ガスバーナ５１，５２，５３，５４のそれぞれに隣接してイグナイタ２６Ａ，２６Ｂ，２６Ｃ，２６Ｄがそれぞれ設けられ、イグナイタ２６Ａ，２６Ｂ，２６Ｃ，２６Ｄのそれぞれに対応してイグナイタ回路４６Ａ，４６Ｂ，４６Ｃ，４６Ｄがそれぞれ設けられている。例えば、ガスバーナ５４に対応してイグナイタ２６Ｄが設けられ、イグナイタ回路４６Ｄは、回転操作部６Ｄに対する外部からの点火操作（スイッチ３０Ｄの点火操作）に応じてイグナイタ２６Ｄを駆動し、イグナイタ２６Ｄで火花を放電させてガスバーナ５４に点火する。
【００１９】
操作パネル１８は、複数のボタンを備えた操作パネルとして構成されており、ユーザの操作に応じて様々な情報を入力し得るようになっている。
【００２０】
制御回路１０は、例えばマイクロコンピュータとして構成されており、図３のように、ＣＰＵ１０Ａ、ＲＯＭ１０Ｂ、ＲＡＭ１０Ｃなどを備え、更に、図示しないタイマ、Ｉ／Ｏインタフェイスなどを備える。また、図示はしていないが、制御回路１０の内部又は外部に不揮発性メモリを設けてもよい。
【００２１】
制御回路１０は、加熱制御部の一例に相当し、ガスバーナ５１，５２，５３，５４、各電磁弁、イグナイタ２６Ａ，２６Ｂ，２６Ｃ，２６Ｄなどを制御し、具体的には、４つの回転操作部６Ａ，６Ｂ，６Ｃ，６Ｄに対してなされる操作に応じて、ガスバーナ５１，５２，５３，５４の点火や消火、各ガスバーナの火力を制御する。また、制御回路１０は、複数の表示装置２１，２２，２３，２４や音声装置１４なども制御し得る。音声装置１４は、メロディ、メッセージなどの音声を発する装置であり、例えば、スピーカやスピーカに対して音声信号を与える駆動回路などを備え、制御回路１０からの指示に対応した音声を発するように動作する。
【００２２】
ガスコンロ１は、乾電池４９からの電力に基づいて内部の電気部品が動作する電池式ガスコンロである。電源回路４８は電池ボックスに収容された２つの乾電池４９からの電力供給を受け、所定の電源電圧を生成する機能を有しており、電源回路４８で生成された電源電圧は、図示しない経路を介して様々な電気部品に供給される。
【００２３】
制御回路１０は、電源制御部の一例に相当し、ガスバーナ５１，５２，５３，５４によって加熱が行われていない状態で後述する不使用条件が成立した場合に、ガスコンロ１を所定の電源オン状態（器具電源オン状態）から所定の電源オフ状態（器具電源オフ状態）に切り替えるように機能する。
【００２４】
通信部９２は、後述する携帯端末（外部装置）１００とペアリングさせて、無線通信を行うための通信回路である。通信部９２及び後述する制御回路１０は、無線通信部の一例に相当し、携帯端末１００と無線通信を行う。通信部９２は、公知の無線通信方式（例えば、Bluetooth（登録商標）、Ｗｉ−Ｆｉ（登録商標）などの公知の無線通信規格に従った通信方式など）によって携帯端末１００と無線通信を行い得る装置である。
【００２５】
図３のように、携帯端末（外部装置）１００は、スマートフォンやタブレット端末などの携帯型情報処理端末として構成されており、図示しない二次電池を電源として動作し得るようになっている。
【００２６】
携帯端末１００は、制御回路１０１、メモリ１０２、通信部１０３、表示部１０４、操作部１０５などを備えている。制御回路１０１は、例えばマイクロコンピュータなどの公知の情報処理装置として構成され、ＣＰＵなどの公知の演算装置及び他の周辺回路などを備えてなり、様々な制御や演算を行い得る。
【００２７】
メモリ１０２は、情報を記憶し得る装置であれば良く、例えば、ＲＯＭ、ＲＡＭ、不揮発性メモリなどの公知の半導体記憶装置を複数種類備えた構成とすることができる。通信部１０３は、公知の無線通信方式（例えば、Bluetooth（登録商標）、Ｗｉ−Ｆｉ（登録商標）などの公知の無線通信規格に従った通信方式など）で無線通信を行い得る通信装置である。通信部１０３は、ガスコンロ１の通信部９２と無線通信を行い得る。表示部１０４は、例えば公知のタッチパネル式表示装置の一部をなす表示部であり、液晶ディスプレイや有機エレクトロルミネッセンスディスプレイなどの公知の画像表示装置として構成されている。操作部１０５は、ユーザの操作によって情報を入力し得る構成であればよく、タッチパネル以外の入力インタフェース（ボタン等）を備えていてもよい。
【００２８】
次に、ガスコンロ１の制御について説明する。
制御回路１０は、全てのガスバーナが消火状態である場合において予め定められた使用判定条件が全て成立しなくなった場合、無線通信部（制御回路１０及び通信部９２）が外部装置と無線通信を行っている状態であってもガスコンロ１を電源オン状態から電源オフ状態に切り替える制御を行う。使用判定条件は、ガスコンロ１の電源（器具電源）を保持するために定められた複数の条件であり、少なくともいずれかの使用判定条件が成立していれば、電源オン状態から電源オフ状態に自動的に切り替える動作はなされないようになっている。
【００２９】
本構成では、使用判定条件（ガスコンロ１の電源（器具電源）を保持するための条件）として「ガスコンロ１に対して所定の指示がなされてから一定時間（例えば、３分）が経過するまでの期間内である」という条件を含む。ここでの「所定の指示」は、ガスコンロ１に対する指示として予め定められた指示である。
【００３０】
本構成では、「所定の指示」は、操作部（回転操作部６Ａ，６Ｂ，６Ｃ，６Ｄに対する操作）に対して外部からなされる所定操作（ユーザによってなされる所定操作）を含む。この所定操作は、回転操作部６Ａ，６Ｂ，６Ｃ，６Ｄのいずれかに対する点火用の押圧操作や、回転操作部６Ａ，６Ｂ，６Ｃ，６Ｄのいずれかに対する火力調整用の回転操作などが挙げられ、これらの操作がなされた場合、少なくともその操作から一定時間（例えば、３分）が経過するまでは使用判定条件（器具電源を保持するための条件）が成立していることになり、自動的な電源オフはなされないことになる。また、「所定の指示」は、ガスバーナの消火指示を含む。つまり、回転操作部６Ａ，６Ｂ，６Ｃ，６Ｄのいずれかに対して対応するガスバーナを消火する操作がなされた場合、少なくともその操作から一定時間が経過するまでは使用判定条件が成立していることになり、自動的な電源オフはなされないことになる。例えば、回転操作部６Ａに対してガスバーナ５１を消火する操作がなされた場合、少なくともその操作から一定時間が経過するまでは使用判定条件が成立していることになり、自動的な電源オフはなされないことになる。
【００３１】
また、「所定の指示」は、操作パネル１８に対して外部からなされる所定操作（ユーザによってなされる所定操作）を含む。この所定操作は、操作パネル１８に設けられた複数のボタンのうちのいずれかを操作して情報を入力することであり、これらの操作がなされた場合、少なくともその操作から一定時間（例えば、３分）が経過するまでは使用判定条件（器具電源を保持するための条件）が成立していることになり、自動的な電源オフはなされないことになる。
【００３２】
また、所定の指示は、携帯端末１００からガスコンロ１に対して無線通信によって与えられる特定コマンドでの指示を含む。特定コマンドは、ガスコンロ１に特定の動作を行わせるためのコマンド（ガスコンロ１に特定動作を指示する情報）として予め定められたコマンドである。ガスコンロ１の特定動作として、例えばガスバーナ５１，５２，５３，５４の消火動作が挙げられる。ガスコンロ１がこのような特定コマンドを無線通信によって受信した場合には、その受信したときから一定時間（例えば、３分）が経過するまでは使用判定条件（器具電源を保持するための条件）が成立していることになり、自動的な電源オフはなされないことになる。なお、ここでは、ガスコンロ１の特定動作として消火動作を例示したが、ガスバーナ５１，５２，５３，５４の火力を変更する動作（例えば、火力を低減する動作）などであってもよい。
【００３３】
このように本構成は、ガスコンロ１（具体的には無線通信部）が予め定められた特定情報（具体的には特定コマンド）を無線通信によって携帯端末１００から受信した場合、特定情報の受信から一定時間が経過するまでは使用判定条件が成立していることになるため電源制御部は電源オン状態から電源オフ状態への切り替えは行わない。一方、ガスコンロ１（具体的には無線通信部）が特定情報を受信していない場合又はガスコンロ１（具体的には無線通信部）が特定情報を受信してから上記一定時間が経過した後は、携帯端末１００と無線通信部との間で特定情報以外の情報を無線通信している場合であっても他の使用判定条件が成立していなければ電源制御部は電源オン状態から電源オフ状態への切り替えを行うことになる。
【００３４】
また、使用判定条件（ガスコンロ１の電源（器具電源）を保持するための条件）は、自動調理のモード（「トーストモード」「干物モード」「切身モード」「姿焼モード」）の終了から所定時間（例えば、３分）が経過するまで」という条件を含む。自動調理のモードの終了は、予め定められた終了タイミングであり、自動調理モードの終了の報知を行ったタイミングであってもよく、自動調理モードで動作していたガスバーナの消火から一定期間（余熱期間）が経過したタイミングであってもよい。或いは、公知のその他の終了タイミングであってもよい。このような構成であるため、自動調理のモードの終了から一定時間（例えば、３分）が経過するまでは使用判定条件（器具電源を保持するための条件）が成立していることになり、自動的な電源オフはなされないことになる。
【００３５】
また、使用判定条件（ガスコンロ１の電源（器具電源）を保持するための条件）は、「所定のエラー条件の成立から所定期間（例えば、１５分）が経過するまで」という条件を含む。このような構成であるため、所定のエラー条件の成立から所定期間（例えば、１５分）が経過するまでは使用判定条件（器具電源を保持するための条件）が成立していることになり、自動的な電源オフはなされないことになる。ここでいう「所定のエラー条件」は、例えば、「所定位置に配された温度センサが検出する温度が閾値以上（例えば、異常加熱を判定するための閾値以上）となるエラー状態、感振センサが振動を検知したエラー状態、点火動作時に着火しないエラー状態などの予め定められたエラー状態が発生したこと」であってもよく、「これらのエラー状態が発生することに応じて、発生したエラーの種別を示す情報を表示部に表示するエラー表示を開始したこと」であってもよい。
【００３６】
本構成では、電源制御部（制御回路１０）は、無線通信部（制御回路１０及び通信部９２）が外部装置と無線通信を行っている状態で、予め定められた複数の使用判定条件が全て成立しなくなった場合に、無線通信が継続中であってもガスコンロ１を電源オン状態（器具電源オン状態）から電源オフ状態（器具電源オフ状態）に強制的に切り替える。これにより、ガスコンロ１を構成する大部分の電気部品への電力供給が遮断され、無線通信も遮断される。
【００３７】
ここでいう電源オン状態（器具電源オン状態）とは、電源ランプが点灯している状態であり、例えば、電源ボタン以外の操作部に対する操作を受け付ける状態である。この電源オン状態のときには、回転操作部６Ａ，６Ｂ，６Ｃ，６Ｄに対する点火操作や火力調整操作が可能となる。また、電源オフ状態（器具電源オフ状態）とは、電源ランプが消灯している状態であり、例えば、電源ボタン以外の操作部に対する操作を受け付けない状態である。この電源オフ状態のときには、回転操作部６Ａ，６Ｂ，６Ｃ，６Ｄに対する点火操作や火力調整操作が不能となる。
【００３８】
なお、電源オフ状態（器具電源オフ状態）であっても、予め定められたシステム電源維持条件の成立時には制御回路１０に対する電力供給は維持される。一方で、電源オフ状態（器具電源オフ状態）且つシステム電源維持条件の非成立時には制御回路１０に対する電力供給は行われない。システム電源維持条件は、電源オン状態（器具電源オン状態）であるとき、図示しない炎検知部によっていずれかのカスバーナの炎が検出されているとき、いずれかのモータが動作している最中であるとき、電磁弁が動作している最中であるとき、テストモードであるとき、などを含む。
【００３９】
本構成の効果を例示する。
上記のガスコンロ１では、無線通信部（制御回路１０及び通信部９２）が携帯端末１００と無線通信を行っている状態で、予め定められた使用判定条件が全て成立しなくなった場合に、ガスコンロ１を電源オン状態から電源オフ状態に切り替えることができる。このようにすれば、予め定められた使用判定条件が全て成立しなくなった場合に、無線通信の継続を優先して電源オン状態が維持されてしまうような事態を防ぐことができる。よって、予め定められた使用判定条件が全て成立しなくなった後には、電力消費を確実に抑えることができる。
【００４０】
使用判定条件は、ガスコンロ１に対して「所定の指示」がなされてから一定時間が経過するまでの期間内であるという条件を含んでいる。ガスコンロ１に対して所定の指示がなされてから一定時間が経過した場合、ガスコンロ１が使用されていない可能性が高まる。上記のガスコンロ１では、このような場合に、他の使用判定条件も不成立であればガスコンロ１を自動的に電源オフ状態に切り替えることができ、電力の消費を効果的に低減することができる。一方、ガスコンロ１に対して所定の指示がなされてから一定時間が経過するまでは、使用判定条件が成立するため、電源オフ状態に切り替えないようにすることができる。
【００４１】
また、使用判定条件は、ガスコンロ１に対して無線通信によって特定コマンドが送信されてから一定時間が経過するまでの期間内であるという条件を含んでいる。このガスコンロ１では、特定コマンドが送信されてから一定時間が経過するまでは電源オフ状態に切り替えないようにすることができるため、特定コマンドの送信直後にガスコンロ１の電源を維持すべき場合に有利になる。一方、特定コマンドの送信から一定時間が経過した場合、ガスコンロ１が使用されていない可能性が高まる。上記のガスコンロ１では、このような場合に、他の使用判定条件も不成立であればガスコンロ１を自動的に電源オフ状態に切り替えることができ、電力の消費を効果的に低減することができる。
【００４２】
また、使用判定条件は、自動調理モードでの調理期間の終了から一定時間が経過するまでの期間内であるという条件を含んでいる。このガスコンロ１は、自動調理モードでの調理期間の終了から一定時間が経過するまでは電源オフ状態に切り替えないようにすることができるため、自動調理モードでの調理期間の終了直後にガスコンロ１の電源を維持すべき場合に有利になる。一方、自動調理モードでの調理期間の終了から一定時間が経過した場合、ガスコンロ１が使用されていない可能性が高まる。上記のガスコンロ１では、このような場合に、他の使用判定条件も不成立であればガスコンロ１を自動的に電源オフ状態に切り替えることができ、電力の消費を効果的に低減することができる。
【００４３】
ガスコンロ１は、電池（例えば、乾電池など）からの電力に基づいて内部の電気部品が動作する電池式ガスコンロとして構成されている。電池式ガスコンロを無線通信可能に構成した場合、無線通信に起因する電力消費によって電池の交換時期が早まってしまうことが懸念されるが、上記の特徴を採用すれば、ユーザがガスコンロ１を使用しない時期に電池の電力消費を確実に低減することができ、電池の交換時期が早まることを防ぐことができる。
【００４４】
＜他の実施形態＞
本開示は、上記記述及び図面によって説明した実施形態に限定されるものではなく、例えば次のように変更してもよい。また、上述又は後述の実施形態の特徴は、矛盾しない範囲であらゆる組み合わせが可能である。上述又は後述の実施形態のいずれの特徴も、必須のものとして明示されていなければ省略することもできる。
【００４５】
上記実施形態では、所定の指示の一例を示したが、所定の指示は、上記の指示以外にも様々な指示を含めることができる。
【００４６】
上記実施形態の特徴に代えて又は加えて、新たな特徴を付加してもよい。例えば、電源制御部は、無線通信部が携帯端末１００と無線通信を行っている状態で上記システム電源維持条件が全て成立しなくなった場合に、システム電源をオフ状態に切り替え、それ以降は制御回路１０に対する電力供給を行わないようにしてもよい。
【００４７】
上記実施形態では、ガスコンロの一例としてビルトインコンロを例示したが、これ以外のコンロ（例えばテーブルコンロ）であってもよい。
【００４８】
上記実施形態では、使用判定条件として、「ガスコンロに対して所定の指示がなされてから一定時間が経過するまでの期間内であるという条件」「ガスコンロに対して無線通信によって特定コマンドが送信されてから一定時間が経過するまでの期間内であるという条件」「自動調理モードでの調理期間の終了から一定時間が経過するまでの期間内であるという条件」を全て含んでいたが、これらのうちのいずれか１又は２つの条件のみを含んでいてもよい。或いは、これら以外の条件を含んでいてもよい。また、各々の条件の一定時間は、全て同じ時間であってもよく、異なっていてもよい。
【００４９】
今回開示された実施の形態は全ての点で例示であって制限的なものではないと考えられるべきである。本発明の範囲は、今回開示された実施の形態に限定されるものではなく、特許請求の範囲によって示され、特許請求の範囲と均等の意味及び範囲内での全ての変更が含まれることが意図される。
【符号の説明】
【００５０】
１…ガスコンロ
１０…制御回路（加熱制御部、無線通信部、電源制御部）
４９…乾電池
５１，５２，５３，５４…ガスバーナ（加熱部）
９２…通信部（無線通信部）
１００…携帯端末（外部装置）
【図１】
2020190357.tif 000003
【図２】
2020190357.tif 000004
【図３】
2020190357.tif 000005